(57)【要約】      （修正有）【課題】構造がしっかりし、ちゃんとしたガードを持っており、簡単に製造することができ、コストが低いものという有効な効果とメリットを有するものであり、破砕物でないものがシュレッダー供紙口に入り、近くにいる人が危険にさらされるとき、事故から人の安全を守るシュレッダーの供給安全構造を提供する。【解決手段】シュレッダー供紙口沿いに保護押し板が設けられており、保護押し板の底は弾性体に支えられ、そして、シュレッダー駆動電源のマイクロスイッチを制御するための押しばねとはゼロ圧力で接触するシュレッダー供紙安全構造を提供する。保護押し板は、シュレッダー供紙口沿いにあり、狭くて長い形をする保護リングの保護押し板であり、その底に少なくとも二つの圧縮ばねに支えられ、シュレッダー駆動電源のマイクロスイッチを制御するための押しばねとは、ゼロ圧力で接触しているシュレッダー供紙安全構造である。【選択図】図１
0003133258.tif 000002
【実用新案登録請求の範囲】
【請求項１】
シュレッダー供紙口沿いに保護押し板が設けられており、前記保護押し板の底は弾性体に支えられ、そして、シュレッダー駆動電源のマイクロスイッチを制御するための押しばねとは、ゼロ圧力で接触することを特徴とするシュレッダー供紙安全構造。
【請求項２】
前記保護押し板は、シュレッダー供紙口沿いを囲み、少なくとも一枚の保護押し板であることを特徴とする請求項１に記載のシュレッダー供紙安全構造
【請求項３】
前記保護押し板は、シュッダー供紙口沿いを囲み、形や色が変化可能に設計されたアクセサリーであることを特徴とする請求項１又は２に記載のシュレッダー供紙安全構造。
【請求項４】
前記保護押し板は、シュレッダー供紙口沿いにあり、狭くて長い形をする保護リングの保護押し板であることを特徴とする請求項３に記載のシュレッダー供紙安全構造。
【請求項５】
前記保護押し板の底は、少なくとも二つの圧縮ばねに支えられ、シュレッダー駆動電源のマイクロスイッチを制御するための押しばねとは、ゼロ圧力で接触することを特徴とする請求項１又は２に記載のシュレッダー供紙安全構造。
【請求項６】
前記シュレッダー供紙口は、少なくとも一つの供紙口があることを特徴とする請求項５に記載のシュレッダー供紙安全構造。
【請求項７】
前記シュレッダー供紙口は三つの供紙口があることを特徴とする請求項６に記載のシュレッダー供紙安全構造。
【請求項８】
前記シュレッダーの三供紙口は、それぞれ普通紙の供紙口、カードの  （様々なクレジットカードの類似物）  供紙口、ＣＤディスクの供紙口であることを特徴とする請求項７に記載のシュレッダー供紙安全構造。
【請求項９】
前記マイクロスイッチは、マイクロリミットスイッチであることを特徴とする請求項８に記載のシュレッダー供紙安全構造。
【請求項１０】
また、前記マイクロスイッチ連動制御の緊急停止指示灯が設けられることを特徴とする請求項９に記載のシュレッダー供紙安全構造。
【考案の詳細な説明】
【技術分野】
【０００１】
従来のシュレッダーは紙、ＣＤディスク、クレジットカード及びその他の有価カードを切断するためのシュレッダーであり、それは凡そ二種類に分かれるが、一つは供紙口の周りにペーパーカットできるセンサー装置が付かないものであり、電源スイッチ一がオンになると、シュレッダーカッター装置が通電し、電源スイッチがオフになるまで持続的に回転するものであり、前記シュレッダーは紙詰まりの場合でも通電中となり、排紙のとき、電源を切らなければならないが、電源を切るのを忘れたら、シュレッダーカッター装置が回転し続け、それをうっかりすると、シュレッダーカッターによる切り傷が生じる事故が起こりうる；
【０００２】
もう一つは、供紙口の周りにペーパーカットできるセンサー装置が付くものであり、ペーパーカットできる物が供紙口に置かれてから、シュレッダーカッター装置が通電するようになり、電源による紙切断が行われるが、紙詰まりになった場合、ペーパーカットできるセンサー装置に感知され、シュレッダーカッターが運転停止して、シュレッダーの動きが制御されるようになり、そしてスイッチ切り替えが選ばれ、排紙する。採用されるペーパーカットできるセンサー装置は主にデジタル式センサー及び機械式タクトアームであるが、全社はコストが高く、価格も高いもので、後者はタクトアームの紙詰まりになる可能性があり、それによりタクトアームが変形し、折れたりして、故障する可能性があり、特に上述の各シュレッダーは、ペーパーカット過程において、操作員の身につけたアクセサリー、ネクタイ、ネックレス、髪の毛、指までがシュレッダー供紙口に挟まれ、人身安全の事故が起こる恐れがあり、また、その他の破砕物でない物がシュレッダー供紙口に入ってしまい、それによりカッターが毀損される可能性があるが、しかし、いまのところ、市場にはこれらの事故を有効に避けることができるシュレッダーがないのである。
【考案の開示】
【考案が解決しようとする課題】
【０００３】
本考案が解決しようとする課題は、従来の技術の欠点を補うためのシュレッダー供紙安全構造を提供する。
【課題を解決するための手段】
【０００４】
本考案は、以下の手段により、従来の技術の欠点を解決することができる。
シュレッダー供紙口沿いに保護押し板が設けられており、前記保護押し板の底は弾性体に支えられ、そして、シュレッダー駆動電源のマイクロスイッチを制御するための押しばねとは、ゼロ圧力で接触しており、シュレッダーが正常に運転されるとき、マイクロスイッチの動斷接触ポイントがシュレッダーの駆動電源に繋がっており、破砕物でない物が供紙口に入ったり、又は近くにいる人の体が周りにある保護押し板に触れたりすると、保護押し板が人の体と接触した圧力を伝わり、マイクロスイッチの動斷接触ポイントを切断して、シュレッダーの駆動電源を切り、シュレッダーカッター装置の停止運転を制御することを特徴とするシュレッダー供紙安全構造である。
【０００５】
本考案は、以下の手段により、更に従来の技術の欠点を解決することができる。
前記保護押し板は、シュレッダー供紙口沿いを囲み、少なくとも一枚の保護押し板であることを特徴とするシュレッダー供紙安全構造。
【０００６】
前記保護押し板は、シュレッダー供紙口沿いを囲み、形や色が変化可能に設計されたアクセサリーであることを特徴とするシュレッダー供紙安全構造である。
前記保護押し板は、シュレッダー供紙口沿いにあり、狭くて長い形をする保護リングの保護押し板であることを特徴とするシュレッダー供紙安全構造である。
【０００７】
前記保護押し板の底は、少なくとも二つの圧縮ばねに支えられ、シュレッダー駆動電源のマイクロスイッチを制御するための押しばねとは、ゼロ圧力で接触することを特徴とするシュレッダー供紙安全構造である。
【０００８】
前記シュレッダー供紙口は、少なくとも一つの供紙口があることを特徴とするシュレッダー供紙安全構造である。
【０００９】
前記シュレッダー供紙口は三つの供紙口があることを特徴とするシュレッダー供紙安全構造である。
【００１０】
前記シュレッダーの三供紙口は、それぞれ普通紙の供紙口、カードの供紙口、ＣＤディスクの供紙口であることを特徴とするシュレッダー供紙安全構造である。
前記マイクロスイッチはマイクロリミットスイッチであることを特徴とするシュレッダー供紙安全構造である。
【００１１】
また、前記マイクロスイッチ連動制御の緊急停止指示が設けられており、シュレッダーの駆動電源を切断すると同時に、シュレッダーが緊急状態にあることを示すために、緊急停止指示灯が点灯するようと制御し、そこで、操作員が保護パネルを押して、シュレッダー運転の選択スイッチを排紙にして、間違って送られた非破砕物を排出する。
【００１２】
本考案は従来の技術より、構造がしっかりし、ちゃんとしたガードを持っており、簡単に製造することができ、コストが低いという有効な効果及びメリットを有するものであり、破砕物でないものシュレッダー供紙口に入り、近くにいる人が危険にさらされるとき、すぐ連動伝保護が起動され、素早くシュレッダーの駆動電源を有効に切断し、事故から人の安全を守り、様々なシュレッダーの安全保護装置に広く応用し、シュレッダーの使用安全向上の機能があるものを提供する。
【考案を実施するための最良の形態】
【００１３】
一つの供紙口だけがあるシュレッダー供紙安全構造である。
図１、２に示すように、カバー３の上に破砕物８の供紙口４があり、カバー３の下にあるカッター装置は、カッターシャフト６及びその上に設けられたカッターナイフ７が含まれており、破砕物８は紙、ＣＤディスク、クレジットカードが可能となる安全構造的シュレッダーである。
【００１４】
供紙口４沿いには、シュレッダー供紙口沿いにあり、狭くて長い形をする保護リングの保護押し板１が設けられており、保護押し板１の底は圧縮ばね５に支えられ、そして、シュレッダー駆動電源のマイクロスイッチ２を制御するための押しばねとは、ゼロ圧力で接触しており、シュレッダーが正常に運転されるとき、マイクロスイッチの動斷接触ポイント２がシュレッダーの駆動電源に繋がっており、破砕物でない物がシュレッダー供紙口４に入ったり、又は近くにいる人の体が周りにある保護押し板１に触れたりすると、保護押し板１が人の体と接触した圧力を伝わり、マイクロスイッチ２の動斷接触ポイントを切断して、シュレッダーの駆動電源を切り、シュレッダーカッター装置の停止運転を制御する。
【００１５】
前記マイクロスイッチ２連動制御の緊急停止指示灯９が設けられており、破砕物でない物又は人の体が供紙口４に巻き込まれた場合、シュレッダーの駆動電源を切断すると同時に、シュレッダーが緊急状態にあることを示すための緊急停止指示灯９を点灯させるようにして、そこで、操作員が保護パネル１を押して、シュレッダー運転の選択スイッチ１０を排紙にして、間違って送られた非破砕物を排出する。
【００１６】
図３、４に示すように、カバー３の上にそれぞれの破砕物８、１１、１２に応じるための供紙口４、１３、  １４が設けられ、カバー３の下にあるカッター装置は、カッターシャフト６及びその上に設けられたカッターナイフ７が含まれており、破砕物８は紙、ＣＤディスク、クレジットカードが可能となる安全構造的シュレッダーである。
【００１７】
供紙口４、１３、１４沿いには、シュレッダーの三供紙口沿いにあり、狭くて長い形をする保護リングの保護押し板１が設けられており、保護押し板１の底は圧縮ばね５に支えられ、そして、それぞれシュレッダー駆動電源のマイクロスイッチ２を制御するための押しばねとは、ゼロ圧力で接触しており、シュレッダーが正常に運転されるとき、マイクロスイッチの動斷接触ポイント２がシュレッダーの駆動電源に繋がっており、破砕物でない物がシュレッダー供紙口４、１３、１４に入ったり、又は近くにいる人の体が周りにある保護押し板１に触れたりすると、保護押し板１が人の体と接触した圧力を伝わり、マイクロスイッチ２の動斷接触ポイントを切断して、シュレッダーの駆動電源を切り、シュレッダーカッター装置の停止運転を制御する。
【００１８】
前記マイクロスイッチ２連動制御の緊急停止指示灯９が設けられており、破砕物でない物又は人の体が供紙口４、１３、１４に巻き込まれた場合、シュレッダーの駆動電源を切断すると同時に、シュレッダーが緊急状態にあることを示すための緊急停止指示灯９を点灯させるようにして、そこで、操作員が保護パネル１を押して、シュレッダー運転の選択スイッチ１０を排紙にして、間違って送られた非破砕物を排出する。
【００１９】
上述では、本考案に関する詳しい好適な実施例のみであり、本考案における実施の形態はこれらの説明に限らず、そして、本考案の技術分野に属する一般の技術者は、本考案のコンセプトに基づき、その仕組み形式を多様に生かして、それを簡単に変えたり、取り替えたりしても、すべては本考案が出願する実用新案登録請求範囲内にあるものである。
【図面の簡単な説明】
【００２０】
【図１】本考案における実施の形態一のシュレッダー構造のイメージである。
【図２】図１の鳥瞰図である。
【図３】本考案における実施の形態二のシュレッダー構造のイメージである。
【図４】図３の鳥瞰図である。
【符号の説明】
【００２１】
３     カバー
８，  １１，  １２  破砕物    
４，  １３，  １４  供紙口  
６  カッターシャフト    
７  カッターナイフ
１  保護押し板
５  圧縮ばね
２  リミットスイッチ
９  指示灯
１０  スイッチ
【図１】
0003133258.tif 000003
【図２】
0003133258.tif 000004
【図３】
0003133258.tif 000005
【図４】
0003133258.tif 000006